(57)【要約】【課題】複数の経糸挿通孔を仮想円周上で等間隔に穿設した板体を多数配置し、各板体を回動させることによって挿通孔を通過させた経糸群に捩じりを与え、経糸の開口部に緯糸を緯入する織物の製織方法において、透かし目組織の織物ができるようにすること【解決手段】経糸群に多数の捩じりを与えた後、経糸の開口部に緯糸を緯入する【選択図】図３
2009133029.tif 000002
【特許請求の範囲】
【請求項１】
複数の経糸挿通孔を仮想円周上で等間隔に穿設した板体を多数配置し、各板体を回動させることによって挿通孔を通過させた経糸群に捩じりを与え、経糸の開口部に緯糸を緯入する織物の製織方法において、経糸群に多数の捩じりを与えた後、経糸の開口部に緯糸を緯入する織物の製織方法。
【請求項２】
捩じりが与えられている経糸群を選択的に引き上げ又は引き下げ、上又は下に位置する経糸の開口部に緯糸を緯入する請求項１に記載の織物の製織方法。
【発明の詳細な説明】
【技術分野】
【０００１】
本発明は、複数の経糸挿通孔を仮想円周上で等間隔に穿設した板体を多数配置し、各板体を回動させることによって挿通孔を通過させた経糸群に捩じりを与え、経糸の開口部に緯糸を緯入する織物の製織方法に関するものである。
【背景技術】
【０００２】
この種の製織方法については、特許文献１に開示されたものが知られている。
特許文献１は、仮想円周上で等間隔に複数の経糸挿通孔を穿設した板体を用いて織物を製織する装置を開示したものであり、この装置は、外周面上に係合歯を刻設した円形の板体を円形の窓を形成した支持盤に装入し、係合歯に係合する駆動手段を用いて板体を回動させる構成を採用している。
【０００３】
板体を回動させると、挿通孔を通過させた板体ごとの経糸群に捩じりが与えられると共に経糸が開口させられるから、その開口部に緯糸を緯入することによって経糸と緯糸とで織物が形成されると説明されている。織物を製織するに際しては、板体が回動する方向を適宜正逆方向に切り換えて行われることになる。
しかしながら、この文献では、駆動手段による板体の安定した回動と、各挿通孔に挿通させている経糸群への捩じりの付与とによって、高速で製織できるとした製織原理だけが説明されていて、具体的な製織原理の応用、織組織の設計、それに対応した具体的な製織方法を開示したものではない。
【発明の開示】
【発明が解決しようとする課題】
【０００４】
本発明は、複数の経糸挿通孔を仮想円周上で等間隔に穿設した板体を多数配置し、各板体を回動させることによって挿通孔を通過させた経糸群に捩じりを与え、経糸の開口部に緯糸を緯入する織物の製織方法において、緯糸を確実に支持させた透かし目組織の織物ができるようにすることを課題としたものである。
【課題を解決するための手段】
【０００５】
この技術的課題を解決するための第一の技術的手段は、（イ）経糸群に多数の捩じりを与えた後、（ハ）経糸の開口部に緯糸を緯入することである。
第二の技術的手段は、上記の製織方法において、捩じりが与えられている経糸群を選択的に引き上げ又は引き下げ、上又は下に位置する経糸の開口部に緯糸を緯入すること、である。
【０００６】
第一の技術的手段において、経糸に捩じりを多数与えると、先に緯入されている緯糸から離れた位置で経糸が開口させられ、そこに緯糸を緯入させることによって緯糸間に間隙を設けることができる。
経糸の捩じりの回数は、３６０°を挿通孔に挿通させている経糸の本数で除した角度に板体を回動させることをもって一回の捩じりと計算する。４本の経糸を使用している場合には、一回の捩じりは板体を９０°させることを意味する。
緯糸間に十分な間隙を設けるには、３回以上捩じることが望ましい。
【０００７】
緯入された緯糸は、その前後がねじれた経糸によって支持されているため、折り目において経糸との間における滑りの発生が抑制され，緯糸の前後に間隙が形成されているにもかかわらず、折り目に歪みやずれが殆ど生じない透かし目の織組織が得られる。
緯糸の間隔は、経糸の太さ、そのテンション、捩じりの回数などを勘案して決定されることになる。
【０００８】
第二の技術的手段において、捩じりが与えられている経糸群が選択的に引き上げ又は引き下げられると、経糸群は、経糸に開口部を形成した状態で上に位置するものと下に位置するものとに分けられる。上又は下に位置する経糸群の経糸の開口部に対して緯糸を緯入すると、他方の経糸群の開口部に緯糸が緯入されないことになるから、緯糸に浮き沈みが発生する織組織を形成することができる。
【０００９】
この織組織を適宜組み合わせることによって、透かし目組織の織物に図柄が形成されることになる。
経糸群の引き上げ又は引き下げは、従来のジャガード機、ドビー機、タペット機などを使用すればよい。
【発明の効果】
【００１０】
緯糸を確実に支持させた透かし目組織の織物ができる結果、柔らかな風合いのよい織物が得られる利点がある。
また、請求項２にかかる発明では、この織物に図柄を形成できる結果、全く新しい織組織の織物が得られる利点がある。
【発明を実施するための最良の形態】
【００１１】
図１は、本発明方法を実施するための経糸開口装置例Ａの正面図を示したものである。
この実施形態では、薄肉金属製の芯盤１の中央に円形の孔４を、その下に孔４に連続させて小幅の切り欠き部５を形成し、孔４内に板体１０を位置させる構成を採用している。
芯盤１の上下左右には、孔４を囲むように表裏両側に板材６、７ａ、７ｂ、８を配置して芯盤１と一体となし、支持盤２を形成している。これらの板材の一部は板体１０の周縁部外側に臨ませてあり、孔４と板材６、７ａ、７ｂ、８とで形成される窓３から板体１０が脱出するのを防止している。
【００１２】
板体１０は、図２に示したように、円形の薄肉金属板で形成してあって、この実施形態では、その周縁部内側に四個の経糸挿通孔２０、２０を等間隔で形成している。板体１０の周面上には後述する駆動手段と係合するための歯３０を、全周にわたって刻設している。
なお、芯盤１及び板材６、７ａ、７ｂ、８は、ステンレス製のものを好適に使用できるが、金属の他、ナイロン、ポリエステル、ポリアミドイミド等の強靱な硬質樹脂で形成することができる。
【００１３】
芯盤１の切り欠き部５には、図示しない駆動源により自転する回動軸１５で自転させられる歯車９が配置してあり、その歯を板体の歯３０と歯合させている。したがって、駆動歯車９を自転させると、板体１０が孔４内で回動し、挿通孔２０を通過させた板体ごとの経Ｘ、Ｘが公転させられることになる。
【００１４】
本実施形態においては、経糸群の配置は、図３に示したように、支持盤２、２を並列させる際に、間隔を設けておくことによって経糸群同志を離して配置する例を示している。
なお、請求項２にかかる製織方法では、綜絖１１、１１の目１２、１２に経糸群を通して製織の準備が完了する。
【００１５】
板体１０を所定の角度に回動させて各経糸群に捩じりを与えた後、緯糸Ｙを経糸Ｘの開口部１３に緯入し、必要な場合には図示しない筬を打ち、再び板体１０を回動させて次工程に移ることになる。
請求項２にかかる製織方法では、緯糸Ｙを緯入する前に、図示しないジャガード機などを利用して綜絖１１を上昇又は下降させ、経糸の開口部への緯糸Ｙの緯入を選択的に行うことになる。
【００１６】
上記の実施形態では、板体１０が回動軸１５によって回動させられる装置例を示しているが、表面に歯３０と係合する歯を刻設した昇降ロッド１８を駆動手段として板体を回動する装置を採用した場合には、とりわけ請求項２の綜絖１１の昇降装置を板体１０の駆動装置として使用することが可能となり、好都合となる。
【図面の簡単な説明】
【００１７】
【図１】本発明方法の実施に使用できる経糸開口装置の正面概略図
【図２】板体の正面図
【図３】製織状態を示す要部斜視図
【符号の説明】
【００１８】
１芯盤、  ２支持盤、  ３支持盤の窓、  ４芯盤の孔、  ５新盤の切欠き部、  ６、７、８板材、  ９駆動歯車、  １０板体、  １１綜絖、  １２綜絖の目、  １５回動軸、  
２０経糸の挿通孔、  ３０板体の歯、  Ａ経糸開口装置、  Ｘ経糸、  Ｙ緯糸
【図１】
2009133029.tif 000003
【図２】
2009133029.tif 000004
【図３】
2009133029.tif 000005